(57)【要約】【課題】エレベータの運転制御に関する各種データを効率的に収集して管理でき、これらのデータを用いてエレベータの動作状態を高精度に遠隔監視する。【解決手段】一実施形態に係るエレベータの遠隔監視システムは、エレベータ１１の運転制御に関わる各種処理を分散して実行する複数の制御装置２１，２２と、これらの制御装置２１，２２とネットワーク２５を介して接続された情報制御装置２４とを備える。上記情報制御装置２４は、エレベータ１１の運転中に制御装置２１，２２および情報制御装置２４との間でネットワーク２５を介してやり取りされる各種データを収集し、所定のタイミングで遠隔地にある監視センタ１２へ送信する。【選択図】      図１
2018030670.tif 000002
【特許請求の範囲】
【請求項１】
エレベータの運転制御に関わる各種処理を分散して実行する複数の制御装置と、
これらの制御装置とネットワークを介して接続された情報制御装置とを備え、
上記情報制御装置は、
エレベータの運転中に上記各制御装置および上記情報制御装置との間で上記ネットワークを介してやり取りされる各種データを収集し、遠隔地にある監視センタへ送信することを特徴とするエレベータの遠隔監視システム。
【請求項２】
上記ネットワークに接続されたエレベータの関連製品を備え、
上記情報制御装置は、
上記関連製品に関するデータを含めて収集することを特徴とする請求項１記載のエレベータの遠隔監視システム。
【請求項３】
上記情報制御装置は、
上記ネットワークを介してやり取りされる各種データを送信元と送信先に分類して記憶する記憶手段を有し、
この記憶手段に記憶された各種データを送信元と送信先の情報と共に上記監視センタへ送信することを特徴とする請求項２記載のエレベータの遠隔監視システム。
【請求項４】
上記情報制御装置は、
装置別に閲覧権限を設定する閲覧権限設定手段を有し、
この閲覧権限設定手段によって閲覧権限が設定された装置を送信元または送信先とするデータの閲覧を制御することを特徴とする請求項３記載のエレベータの遠隔監視システム。
【請求項５】
上記関連製品には、少なくとも非常用電源として用いられるバッテリが含まれることを特徴とする請求項２記載のエレベータの遠隔監視システム。
【発明の詳細な説明】
【技術分野】
【０００１】
本発明の実施形態は、エレベータの動作状態を遠隔監視するエレベータの遠隔監視システムに関する。
【背景技術】
【０００２】
エレベータの遠隔監視システムは、各物件のエレベータと監視センタとを通信ネットワークで接続し、予め設定された各監視項目に関するデータを監視センタに送ることで、各物件毎にエレベータの動作状態を遠隔的に監視している。監視センタでは、エレベータから送られて来た各種データを監視画面に表示するなどして、何らかの異常を検出した場合に保守員を現場に派遣するなどして対応する。
【０００３】
ここで、上述した遠隔監視システムでは、通常、エレベータ全体の制御を担う主制御装置（エレベータ制御装置）が各種データを収集した後、通信装置を介して監視センタへ送っている。
【先行技術文献】
【特許文献】
【０００４】
【特許文献１】特開２０１２−２１８８５４号公報
【特許文献２】特許第４７３７９４１号公報
【発明の概要】
【発明が解決しようとする課題】
【０００５】
近年、エレベータの多機能化やサービスの多様化に伴い、求められる監視項目が増加している状況にある。監視項目が増えると、その分、データ収集のための通信量が増えるので、運転制御のためのデータ通信に支障が出る可能性がある。
【０００６】
本発明が解決しようとする課題は、エレベータの運転制御に関する各種データを効率的に収集して管理でき、これらのデータを用いてエレベータの動作状態を高精度に遠隔監視することのできるエレベータの遠隔監視システムを提供することである。
【課題を解決するための手段】
【０００７】
一実施形態に係るエレベータの遠隔監視システムは、エレベータの運転制御に関わる各種処理を分散して実行する複数の制御装置と、これらの制御装置とネットワークを介して接続された情報制御装置とを備える。上記情報制御装置は、エレベータの運転中に上記各制御装置および上記情報制御装置との間で上記ネットワークを介してやり取りされる各種データを収集し、所定のタイミングで遠隔地にある監視センタへ送信する。
【図面の簡単な説明】
【０００８】
【図１】図１は一実施形態に係るエレベータの遠隔監視システムの構成を示す図である。
【図２】図２は同実施形態におけるエレベータに設けられた情報制御装置の機能構成を示すブロック図である。
【図３】図３は同実施形態における情報制御装置の監視テーブルの一例を示す図である。
【図４】図４は同実施形態におけるエレベータの昇降路内の構成を模式的に示す図である。
【図５】図５は同実施形態における監視センタ内のＷｅｂサーバの構成を示すブロック図である。
【図６】図６は同実施形態におけるエレベータの運転時におけるデータ収集の動作を示すフローチャートである。
【発明を実施するための形態】
【０００９】
以下、図面を参照して実施形態を説明する。
【００１０】
図１は一実施形態に係るエレベータの遠隔監視システムの構成を示す図である。
【００１１】
監視対象であるエレベータ１１と遠隔地にある監視センタ１２とが通信ネットワーク１３を介して接続されている。なお、図１の例では、１台のエレベータ１１が通信ネットワーク１３を介して監視センタ１２に接続されているが、実際には各物件のエレベータ１１が通信ネットワーク１３を介して監視センタ１２に接続されている。
【００１２】
エレベータ１１には、運転制御装置２１、モータ制御装置２２、関連製品２３、情報制御装置２４がＬＡＮ（Local Area Network）２５を介して互いにデータ通信可能に接続されている。
【００１３】
運転制御装置２１とモータ制御装置２２は、分散処理を実現するための装置群である。すなわち、通常は１台の主制御装置がすべての処理を担っているが、本実施形態では、エレベータ１１の運転制御に関わる各種処理に分けて複数台の制御装置が実行する構成としている。
【００１４】
運転制御装置２１は、乗場呼びやかご呼びを受け付け、乗りかごをその呼びの登録階に応答させるなどの制御を行う。この運転制御装置２１には、図示せぬ乗場操作盤やかご操作盤、位置検出器などが接続される。なお、「乗場呼び」とは、各階の乗場に設置された乗場呼び釦の操作により登録される呼びの信号のことであり、登録階と行先方向の情報を含む。「かご呼び」とは、かご室内に設けられた図示せぬ行先呼び釦の操作により登録される呼びの信号のことであり、行き先階の情報を含む。
【００１５】
モータ制御装置２２は、乗りかごを昇降動作させるための巻上機のモータや、乗りかごのドアを開閉するためのモータを駆動制御する。このモータ制御装置２２には、インバータ装置やドア制御装置などが接続される。
【００１６】
なお、図１の例では、運転制御装置２１とモータ制御装置２２に分けているが、エレベータ１１の運転制御に関わる各種処理をさらに多数の制御装置に分けて分散化する構成であっても良い。
【００１７】
また、複数台のエレベータを有する群管理システムの場合には、各エレベータの運転を群管理制御する群管理制御装置を含めて分散化することでも良い。
【００１８】
関連製品２３は、エレベータ１１の運転に関連して使われる装置や機器、システムのことである。関連製品２３としては、少なくとも非常電源用バッテリを含む。停電が発生した場合に、このバッテリの電力を使用して乗りかごの運転を継続する。なお、バッテリは、エレベータ専用として設置されている場合とビルシステムと兼用で設置されている場合があるが、そのどちらでも良い。
【００１９】
その他の関連製品２３として、例えばセキュリティゲート、乗車検知用のセンサ、カメラなどがある。セキュリティゲートは、例えばビルの玄関口などに設置される。このセキュリティゲートと連動させたシステムでは、利用者がゲートを通過したときのタイミングで乗りかごを応答させるなどの制御が行われる。乗車検知用のセンサやカメラは、例えば乗りかごの上部に設置される。このセンサやカメラと連動させたシステムでは、利用者の乗車を検知してかごドアの開閉動作に反映させるなどの制御が行われる。
【００２０】
情報制御装置２４は、上述した運転制御装置２１とモータ制御装置２２と同様に分散対象装置の１つであり、制御装置２１，２２および関連製品２３にＬＡＮ２５を介して互いにデータ通信可能に接続されている。この情報制御装置２４は、通信機能を有する監視装置として存在し、エレベータ１１の運転中に各装置（制御装置２１，２２，２４および関連製品２３）の間でＬＡＮ２５を介してやり取りされる各種データを監視対象として収集し、所定のタイミングで遠隔地にある監視センタ１２へ送信する。
【００２１】
上記ＬＡＮ２５を介してやり取りされる各種データには、一般的に監視項目として設定されている各種項目に関するデータ（例えばモータの動作状態を示すデータなど）を含む。さらに、関連製品２３の動作状態などに関するデータも含まれる。
【００２２】
監視センタ１２は、情報制御装置２４から送られて来る各種データに基づいてエレベータ１１の動作状態を遠隔監視し、何らかの異常があった場合には保守員を現場に派遣して対処する。この監視センタ１２には、保守監視用のＷｅｂサーバ３１と、このＷｅｂサーバ３１にＬＡＮ等で接続されたオペレータ端末３２とが備えられている。
【００２３】
Ｗｅｂサーバ３１は、通信ネットワーク１３に接続されており、エレベータ１１の情報制御装置２４から送られて来る各種データに基づいて所定の処理を実行する。オペレータ端末３２は、監視センタ１２内にオペレータが操作する端末装置であり、汎用のコンピュータから構成される。なお、ここでは１台のオペレータ端末３２だけを示すが、実際には複数台のオペレータ端末３２が設置されており、これらのオペレータ端末３２を通じて多数のオペレータが各物件のエレベータの動作状態を監視している。
【００２４】
図２はエレベータ１１に設けられた情報制御装置２４の機能構成を示すブロック図である。
【００２５】
情報制御装置２４は、インタフェース（Ｉ／Ｆ）部４１、制御部４２、閲覧権限設定部４３、監視テーブル４４、通信部４５を備える。
【００２６】
インタフェース部４１は、各装置（制御装置２１，２２および関連製品２３）との間のデータの送受信処理を行う。制御部４２は、ＬＡＮ２５を介してやり取りされる各種データを取得し、送信元と送信先で分類して監視テーブル４４に記憶するなどの処理を行う。
【００２７】
閲覧権限設定部４３は、装置別に閲覧権限を設定し、その閲覧権限が設定された装置を送信元または送信先とするデータの閲覧を制御する。なお、閲覧権限を設定するタイミングは任意であり、予め装置別に設定しておいても良いし、その都度設定することでも良い。監視テーブル４４は、各種データを送信元と送信先に分類して記憶すると共に、閲覧権限設定部４３によって設定された閲覧権限の情報を記憶する。通信部４５は、通信ネットワーク１３を介して外部の監視センタ１２との間の通信処理を行う。
【００２８】
図３は監視テーブル４４の一例を示す図である。図中の装置ａ，ｂ，ｃ，ｄは、エレベータ１１に個別に設けられた制御装置２１，２２、関連製品２３、情報制御装置２４のいずれかを示すものとする。
【００２９】
各装置ａ，ｂ，ｃ，ｄの間でやり取りされるデータが送信元と送信先に分類されて記憶されている。また、各データには装置別の閲覧権限が設定されている。この例では、装置ｃに関わるデータＤ２とデータＤ５に閲覧権限が設定されているので、権限を有する者だけが閲覧可能であり、他の者の閲覧は禁止される。
【００３０】
図４はエレベータ１１の昇降路内の構成を模式的に示す図である。図中の１０が昇降路である。
【００３１】
マシンルームレスタイプのエレベータ１１において、運転制御装置２１、モータ制御装置２２、関連製品２３、情報制御装置２４が昇降路１０内に分散配置されている。なお、関連製品２３については、便宜的に昇降路１０の中に示したが、昇降路１０の外に設けられている場合もある。
【００３２】
昇降路１０内の最上部付近に巻上機１が設けられ、その巻上機１に巻き架けられたロープ２の一端に乗りかご３、他端にカウンタウェイト４が連結されている。巻上機１は、モータ制御装置２２に接続されている。モータ制御装置２２の制御によって巻上機１が回転駆動すると、それに伴い乗りかご３とカウンタウェイト４が昇降路１０内をつるべ式に昇降動作する。
【００３３】
また、乗りかご３内には、各階の行先階釦や戸開閉釦などを有するかご操作盤５が設けられている。一方、各階の乗場には上下の乗場呼び釦（上下の行先方向釦）を有する乗場操作盤６が設けられている。かご操作盤５と各階の乗場操作盤６は、それぞれに運転制御装置２１に接続されている。運転制御装置２１は、かご操作盤５上の行先階釦の押下によって登録されるかご呼び、乗場操作盤６上の乗場呼び釦の押下によって登録される乗場呼びに基づいて乗りかご３の運転を制御する。
【００３４】
図５は同実施形態における監視センタ１２内のＷｅｂサーバ３１の構成を示すブロック図である。
【００３５】
Ｗｅｂサーバ３１は、制御部５１、記憶部５２、各種データベース５３、通信部５４、インタフェース（Ｉ／Ｆ）５５を備えている。
【００３６】
制御部５１は、ＣＰＵからなり、記憶部５２に記憶されたプログラム５２ａを読み込むことにより各種処理を実行する。また、この制御部５１にはデータ取得部５１ａ、データ分析部５１ｂが設けられている。
【００３７】
データ収集部５１ａは、各物件のエレベータ１１から通信ネットワーク１３を介して送られて来る各種データを収集し、記憶部５２に設けられたデータ収集テーブル５２ｂに物件毎に記憶する。これらのデータには、図３に示した送信元／送信先の情報、閲覧権限の情報が付加されている。
【００３８】
データ分析部５１ｂは、データ収集テーブル５２ｂに記憶された各種データに基づいて、例えば各物件毎にエレベータシステムを改良するための戦略や施策の指標（ＫＰＩ：Key Performance Indicators）と関連付けて分析する。
【００３９】
記憶部５２は、ＲＯＭ、ＲＡＭなどのメモリからなり、プログラム５２ａの他、制御部５１の処理に必要な各種データを記憶している。また、この記憶部５２には、上述したデータ収集テーブル５２ｂが設けられている。
【００４０】
一方、Ｗｅｂサーバ３１に設けられた各種データベース５３には、物件データベース（物件ＤＢ）５３ａ、保守員データベース（保守員ＤＢ）５３ｂ、地図データベース（地図ＤＢ）５３ｃなどが含まれる。なお、これらのデータベース５３ａ〜５３ｃは、実際には記憶部５２などに設けられる。
【００４１】
物件データベース５３ａは、各物件に関する情報を記憶している。具体的には、各物件の識別番号（物件ＩＤ）、物件名、住所、その物件に設置されているエレベータの台数や号機の情報などを記憶している。
【００４２】
保守員データベース５３ｂは、各保守員に関する情報を記憶している。具体的には、各保守員の識別番号（保守員ＩＤ）、氏名、所属（事業所）、その保守員が所持している保守端末装置の情報（端末ＩＤやアドレス、電話番号等）、保守員の現在位置と属性情報、ステータス情報などを記憶している。
【００４３】
なお、「現在位置」は、保守端末装置に備えられたＧＰＳ機能（ＧＰＳモジュール３６）を利用して検出される。「属性情報」には、保守員の職種が含まれる。その職種として、大きく分けて、一般的な定期点検を主とする「点検員」と、法定的な検査資格を有する「法定検査員」に分類される。法定検査員は点検員の業務を兼ねることができるが、その人数は点検員に比べて少ないのが一般的である。「ステータス情報」は、保守員の作業状態を示す情報であり、「作業中」，「移動中」などがある。
【００４４】
地図データベース５３ｃは、各地域の地図情報（画像情報）を記憶している。
【００４５】
Ｗｅｂサーバ３１に設けられた通信部５４は、各物件のエレベータ１１との間で通信ネットワーク１３を介してデータの送受信を行う。インタフェース５５は、Ｗｅｂサーバ３１に接続された複数台のオペレータ端末３２との間のデータの入出力処理を行う。
【００４６】
次に、本システムの動作について説明する。
【００４７】
図６は本システムにおけるエレベータ１１の運転時におけるデータ収集の動作を示すフローチャートである。
【００４８】
エレベータ１１の運転時には、各装置（制御装置２１，２２，２４および関連製品２３）との間で各種データがやり取りされている。例えば、任意の階で乗場呼びが登録されると、運転制御装置２１はその乗場呼びの登録階に乗りかご３を応答させるべく、モータ制御装置２２に駆動指令を与える。モータ制御装置２２では、この駆動指令を受けて巻上機１のモータを所定の速度で回転駆動する。このとき、運転制御装置２１とモータ制御装置２２との間ではＬＡＮ２５を介してデータがやり取りされている。
【００４９】
関連製品２３についても同様である。例えば関連製品２３がバッテリであった場合に、非常時にバッテリの電力を使って運転するときのデータのやり取りがＬＡＮ２５を介して各装置２１，２２，２４との間で行われる。また、例えば関連製品２３がセキュリティゲートであった場合も同様であり、エレベータ１１の運転に関わるデータのやり取りがＬＡＮ２５を介して各装置２１，２２，２４との間で行われる。
【００５０】
情報制御装置２４は、エレベータ１１の運転中にＬＡＮ２５を介して各装置間でやり取りされる各種データを収集し（ステップＳ１１）、これらのデータを送信元と送信先で装置別に分類して監視テーブル４４に記憶する（ステップＳ１２）。なお、ＬＡＮ２５上でやり取りされる各種データには、それぞれに送信元の装置と送信先の装置を示す識別情報が付されているので、その識別情報に基づいて図３のように装置別に分類することができる。
【００５１】
また、情報制御装置２４は、閲覧権限が設定されている装置を送信元あるいは送信先としたデータには閲覧権限を付して監視テーブル４４に記憶しておく（ステップＳ１３）。例えば関連製品２３に閲覧権限が設定されている場合には、関連製品２３を送信元あるいは送信先としたデータに閲覧権限「有」の情報を付して記憶しておく。
【００５２】
このようにして、エレベータ１１の運転中にＬＡＮ２５を介して各装置間でやり取りされる各種データを監視対象としてリアルタイムで情報制御装置２４に取り込み、送信元と送信先で装置別に分類して監視テーブル４４に逐次記憶していく。その際、閲覧権限が設定された装置に関するデータには閲覧権限「有」の情報を付しておく。
【００５３】
ここで、一定期間（例えば数時間）が経過すると（ステップＳ１４のＹｅｓ）、情報制御装置２４は、監視テーブル４４に記憶された各種データを送信元と送信先の情報と閲覧権限の情報と共に通信ネットワーク１３を介して監視センタ１２へ送信する（ステップＳ１５）。
【００５４】
なお、監視センタ１２へデータを送るタイミングは、一定期間毎に限らず、予め決められた処理の区切り毎にバッチ処理的に送ることでも良いし、一定のデータ量毎に送ることでも良い。監視センタ１２からの要求に応えて、その要求されたデータを送ることでも良い。また、かご内閉じ込め事故など、緊急を要する異常が発生した場合には、監視センタ１２に即時発報して、その異常に関係するデータを送るものとする。
【００５５】
監視センタ１２では、エレベータ１１から異常発報を受けた場合には保守員を現場に向かわせるなどして対処する。また、異常時のデータをＷｅｂサーバ３１に設けられたデータ収集テーブル５２ｂに記憶しておき、異常原因の分析などに使用する。
【００５６】
一方、エレベータ１１から送られて来る各種データには、予め設定された監視項目の他に、エレベータ１１の運転制御に関わるすべてのデータを含んでいる。Ｗｅｂサーバ３１の制御部５１は、これらのデータを物件毎にデータ収集テーブル５２ｂに記憶した後、これらのデータを用いて物件毎にエレベータシステムを改良するための戦略や施策の指標（ＫＰＩ）と関連付けて分析する。また、関連製品２３に関するデータも含まれているので、関連製品２３と連動するシステムの改良分析なども行うことができる。
【００５７】
また、これらのデータを用いて異常発生頻度を分析し、異常発生頻度が高い場合には保守員の点検回数を増やすなどの対策を講じることができる。
【００５８】
エレベータ１１から収集した各種データやこれらのデータの分析結果などは、オペレータ端末３２を通じて閲覧することができる。ただし、閲覧権限が設定された装置のデータについては、その権限を持たない者は閲覧できない。これにより、例えば他社が提供している関連製品２３に関し、そのデータの流出を防ぐことができる。運転制御装置２１やモータ制御装置２２などについても同様であり、装置別に閲覧権限を設定しておくことでデータの流出を防ぐことができる。
【００５９】
ここで、一般的なエレベータシステムでは、「エレベータ制御装置」と呼ばれる主制御装置がエレベータ１１の運転に関わる一連の処理のすべてを担っており、予め監視項目として設定されている各種項目に関するデータ（例えばモータの動作状態を示すデータなど）の収集も行っている。このため、主制御装置の負担が大きく、収集できるデータも限られるといった問題がある。
【００６０】
これに対し、本実施形態では、エレベータ１１の運転中に各制御装置間でＬＡＮ２５を介してやり取りされる各種データを情報制御装置２４に取り込むだけなので、データ通信量の増加を抑えて、運転制御に関する多数のデータを収集できる利点がある。これらのデータを監視センタ１２に送ることで、監視センタ１２側ではエレベータ１１の動作状態を高精度に遠隔監視でき、さらに、これらのデータを分析することでシステム改良の戦略や施策などを行うことができる。
【００６１】
また、エレベータ１１の関連製品２３に関するデータも含めて収集することで、監視センタ１２側では関連製品２３の動作状態を遠隔監視することができ、何らかの異常が検出されれば、関連製品２３を提供している会社に連絡するなどして対処できる。さらに、関連製品２３のデータを用いて、関連製品２３と関連したシステムの改良などを行うことができる。
【００６２】
以上述べた少なくとも１つの実施形態によれば、エレベータの運転制御に必要な各種データを負担なく効率的に収集でき、これらのデータを用いてエレベータの動作状態を高精度に遠隔監視することのできるエレベータの遠隔監視システムを提供することができる。
【００６３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…巻上機、２…ロープ、３…乗りかご、４…カウンタウェイト、５…かご操作盤、６…乗場操作盤、１０…昇降路、１１…エレベータ、１２…監視センタ、１３…通信ネットワーク、２１…運転制御装置、２２…モータ制御装置、２３…関連製品、２４…情報制御装置、２５…ＬＡＮ、３１…Ｗｅｂサーバ、３２…オペレータ端末、４１…インタフェース部、４２…制御部、４３…閲覧権限設定部、４４…監視テーブル、４５…通信部。
【図１】
2018030670.tif 000003
【図２】
2018030670.tif 000004
【図３】
2018030670.tif 000005
【図４】
2018030670.tif 000006
【図５】
2018030670.tif 000007
【図６】
2018030670.tif 000008
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
エレベータの運転制御に関わる各種処理を分散して実行する複数の制御装置と、
これらの制御装置とネットワークを介して接続された情報制御装置とを備え、
上記情報制御装置は、
上記ネットワークを介してやり取りされる各種データを送信元と送信先に分類して記憶する記憶手段を有し、
エレベータの運転中に上記各制御装置および上記情報制御装置との間で上記ネットワークを介してやり取りされる各種データを収集し、上記記憶手段に記憶された各種データを送信元と送信先の情報と共に遠隔地にある監視センタへ送信することを特徴とするエレベータの遠隔監視システム。
【請求項２】
上記ネットワークに接続されたエレベータの関連製品を備え、
上記情報制御装置は、
上記関連製品に関するデータを含めて収集することを特徴とする請求項１記載のエレベータの遠隔監視システム。
【請求項３】
上記情報制御装置は、
装置別に閲覧権限を設定する閲覧権限設定手段を有し、
この閲覧権限設定手段によって閲覧権限が設定された装置を送信元または送信先とするデータの閲覧を制御することを特徴とする請求項１または２記載のエレベータの遠隔監視システム。
【請求項４】
上記関連製品には、少なくとも非常用電源として用いられるバッテリが含まれることを特徴とする請求項２記載のエレベータの遠隔監視システム。
【手続補正２】
【補正対象書類名】明細書
【補正対象項目名】０００７
【補正方法】変更
【補正の内容】
【０００７】
一実施形態に係るエレベータの遠隔監視システムは、エレベータの運転制御に関わる各種処理を分散して実行する複数の制御装置と、これらの制御装置とネットワークを介して接続された情報制御装置とを備える。上記情報制御装置は、上記ネットワークを介してやり取りされる各種データを送信元と送信先に分類して記憶する記憶手段を有し、エレベータの運転中に上記各制御装置および上記情報制御装置との間で上記ネットワークを介してやり取りされる各種データを収集し、上記記憶手段に記憶された各種データを送信元と送信先の情報と共に遠隔地にある監視センタへ送信する。